(57)【特許請求の範囲】
【請求項１】
ネットワークおよびユーザ端末を備えた無線通信システムにおいて、前記ネットワークは、複数の無線局と、該複数の無線局を制御するコントローラとを備え、前記複数の無線局のうちの少なくとも２つが前記ユーザ端末と通信し、
前記コントローラは、干渉測定のための第１リソースとパワー測定のための第２リソースの一対の、要求チャネル品質情報に対応するリソースを示す情報を前記ユーザ端末に通知し、
前記ユーザ端末は、前記第１リソースの干渉測定と前記第２リソースのパワー測定とに基づいて前記要求チャネル品質情報を計算し、前記計算された要求チャネル品質情報を報告する、
ことを特徴とする無線通信システム。
【請求項２】
前記情報は、ある基準信号に対して測定される信号パワーと別の基準信号に対して測定される干渉パワーとの間のリソース対応関係を示すことを特徴とする請求項１に記載の無線通信システム。
【請求項３】
前記情報は、前記ユーザ端末が干渉を測定するリソースを暗黙的または明示的に示すことを特徴とする請求項１または２に記載の無線通信システム。
【請求項４】
前記情報は、前記複数の無線局に適用される干渉ミューティングパターンを暗黙的または明示的に示すことを特徴とする請求項１ないし３のいずれか１項に記載の無線通信システム。
【請求項５】
前記ユーザ端末と通信する前記少なくとも２つの無線局は、前記ユーザ端末が移動するとともに変化することを特徴とする請求項１ないし４のいずれか１項に記載の無線通信システム。
【請求項６】
前記情報は、前記要求チャネル品質情報に対する基準信号のペアを示し、該基準信号のペアの一方が信号パワー測定のために使用され、他方が干渉パワー測定のために使用されることを特徴とする請求項１ないし５のいずれか１項に記載の無線通信システム。
【請求項７】
前記情報は、前記少なくとも２つの無線局からの信号送信が選択的にミュートされるかミュートされないかを定める干渉ミューティングパターンを示すことを特徴とする請求項４または５に記載の無線通信システム。
【請求項８】
前記情報は、上位層信号の情報要素に格納されることを特徴とする請求項１ないし７のいずれか１項に記載の無線通信システム。
【請求項９】
送信信号パワーを測定するための前記一方の基準信号が非ゼロパワーＣＳＩ基準信号および／またはセル固有基準信号であることを特徴とする請求項２または６に記載の無線通信システム。
【請求項１０】
干渉パワーを測定するための前記他方の基準信号がゼロパワーＣＳＩ基準信号および／またはいくつかの無線局で送信がミュートされた基準信号であることを特徴とする請求項９に記載の無線通信システム。
【請求項１１】
送信信号パワーを測定するための前記一方の基準信号およびミューティングのある干渉パワーを測定するための前記他方の基準信号が両方とも、干渉がミュートされたチャネル品質情報を測定し報告するように設定されることを特徴とする請求項２または６に記載の無線通信システム。
【請求項１２】
前記ネットワークが、現在の基準信号設定を設計するために直前の基準信号設定を参照し、測定および報告のためにチャネル品質情報の複数の候補のうちの１つをどのように選択するかに関する変更部分を反映する情報を前記ユーザ端末に通知する信号を送信することを特徴とする請求項５に記載の無線通信システム。
【請求項１３】
前記コントローラが、無線局の一部として、または、どの無線局とも独立である集中制御局の一部として、設けられることを特徴とする請求項１ないし１２のいずれか１項に記載の無線通信システム。
【請求項１４】
ネットワークおよびユーザ端末を備えた無線通信システムにおける通信方法において、前記ネットワークは、複数の無線局と、該複数の無線局を制御するコントローラとを備え、該方法は、
前記複数の無線局のうちの少なくとも２つを、前記ユーザ端末と通信するように設定し、
干渉測定のための第１リソースとパワー測定のための第２リソースの一対の、要求チャネル品質情報に対応するリソースを示す情報を前記ユーザ端末に通知し、
前記ユーザ端末は、前記第１リソースの干渉測定と前記第２リソースのパワー測定とに基づいて前記要求チャネル品質情報を計算し、前記計算された要求チャネル品質情報を報告する、
ことを特徴とする通信方法。
【請求項１５】
前記情報は、ある基準信号に対して測定される信号パワーと別の基準信号に対して測定される干渉パワーとの間のリソース対応関係を示すことを特徴とする請求項１４に記載の通信方法。
【請求項１６】
前記情報は、前記ユーザ端末が干渉を測定するリソースを暗黙的または明示的に示すことを特徴とする請求項１４または１５に記載の通信方法。
【請求項１７】
前記情報は、前記複数の無線局に適用される干渉ミューティングパターンを暗黙的または明示的に示すことを特徴とする請求項１４ないし１６のいずれか１項に記載の通信方法。
【請求項１８】
前記ユーザ端末と通信する前記少なくとも２つの無線局は、前記ユーザ端末が移動するとともに変化することを特徴とする請求項１４ないし１７のいずれか１項に記載の通信方法。
【請求項１９】
前記情報は、前記要求チャネル品質情報に対する基準信号のペアを示し、該基準信号のペアの一方が信号パワー測定のために使用され、他方が干渉パワー測定のために使用されることを特徴とする請求項１４ないし１８のいずれか１項に記載の通信方法。
【請求項２０】
前記情報は、前記少なくとも２つの無線局からの信号送信が選択的にミュートされるかミュートされないかを定める干渉ミューティングパターンを示すことを特徴とする請求項１７または１８に記載の通信方法。
【請求項２１】
前記情報は、上位層信号の情報要素に格納されることを特徴とする請求項１４ないし２０のいずれか１項に記載の通信方法。
【請求項２２】
送信信号パワーを測定するための前記一方の基準信号が非ゼロパワーＣＳＩ基準信号および／またはセル固有基準信号であることを特徴とする請求項１５または１９に記載の通信方法。
【請求項２３】
干渉パワーを測定するための前記他方の基準信号がゼロパワーＣＳＩ基準信号および／またはいくつかの無線局で送信がミュートされた基準信号であることを特徴とする請求項２２に記載の通信方法。
【請求項２４】
送信信号パワーを測定するための前記一方の基準信号およびミューティングのある干渉パワーを測定するための前記他方の基準信号が両方とも、干渉がミュートされたチャネル品質情報を測定し報告するように設定されることを特徴とする請求項１５または１９に記載の通信方法。
【請求項２５】
前記ネットワークが、現在の基準信号設定を設計するために直前の基準信号設定を参照し、測定および報告のためにチャネル品質情報の複数の候補のうちの１つをどのように選択するかに関する変更部分を反映する情報を前記ユーザ端末に通知する信号を送信することを特徴とする請求項１８に記載の通信方法。
【請求項２６】
無線通信システムにおいて複数の無線局を制御する制御装置において、該制御装置は、
前記複数の無線局のうち、ユーザ端末と通信する少なくとも２つを設定する測定セット決定手段と、
干渉測定のための第１リソースとパワー測定のための第２リソースの一対の、要求チャネル品質情報に対応するリソースを示す情報を前記ユーザ端末に通知する制御手段と
を備え、前記ユーザ端末は、前記第１リソースの干渉測定と前記第２リソースのパワー測定とに基づいて前記要求チャネル品質情報を計算し、前記計算された要求チャネル品質情報を報告することを特徴とする制御装置。
【請求項２７】
前記情報は、ある基準信号に対して測定される信号パワーと別の基準信号に対して測定される干渉パワーとの間のリソース対応関係を示すことを特徴とする請求項２６に記載の制御装置。
【請求項２８】
前記情報は、前記ユーザ端末が干渉を測定するリソースを暗黙的または明示的に示すことを特徴とする請求項２６または２７に記載の制御装置。
【請求項２９】
前記情報は、前記複数の無線局に適用される干渉ミューティングパターンを暗黙的または明示的に示すことを特徴とする請求項２６ないし２８のいずれか１項に記載の制御装置。
【請求項３０】
前記ユーザ端末と通信する前記少なくとも２つの無線局は、前記ユーザ端末が移動するとともに変化することを特徴とする請求項２６ないし２９のいずれか１項に記載の制御装置。
【請求項３１】
前記情報は、前記要求チャネル品質情報に対する基準信号のペアを示し、該基準信号のペアの一方が信号パワー測定のために使用され、他方が干渉パワー測定のために使用されることを特徴とする請求項２６ないし３０のいずれか１項に記載の制御装置。
【請求項３２】
前記情報は、前記少なくとも２つの無線局からの信号送信が選択的にミュートされるかミュートされないかを定める干渉ミューティングパターンを示すことを特徴とする請求項２９または３０に記載の制御装置。
【請求項３３】
前記情報は、上位層信号の情報要素に格納されることを特徴とする請求項２６ないし３２のいずれか１項に記載の制御装置。
【請求項３４】
送信信号パワーを測定するための前記一方の基準信号が非ゼロパワーＣＳＩ基準信号および／またはセル固有基準信号であることを特徴とする請求項２７または３１に記載の制御装置。
【請求項３５】
干渉パワーを測定するための前記他方の基準信号がゼロパワーＣＳＩ基準信号および／またはいくつかの無線局で送信がミュートされた基準信号であることを特徴とする請求項３４に記載の制御装置。
【請求項３６】
送信信号パワーを測定するための前記一方の基準信号およびミューティングのある干渉パワーを測定するための前記他方の基準信号が両方とも、干渉がミュートされたチャネル品質情報を測定し報告するように設定されることを特徴とする請求項２７または３１に記載の制御装置。
【請求項３７】
前記制御手段が、現在の基準信号設定を設計するために直前の基準信号設定を参照し、測定および報告のためにチャネル品質情報の複数の候補のうちの１つをどのように選択するかに関する変更部分を反映する情報を前記ユーザ端末に通知する信号を送信することを特徴とする請求項３０に記載の制御装置。
【請求項３８】
請求項２６ないし３７のいずれか１項に記載の制御装置を備えたことを特徴とする無線局。
【請求項３９】
請求項２６ないし３７のいずれか１項に記載の制御装置を備えた制御局であって、どの無線局とも独立である集中制御局の一部として設けられることを特徴とする制御局。
【請求項４０】
複数の無線局と、該複数の無線局を制御するネットワークコントローラとを備えた無線通信システムにおけるユーザ端末において、
前記複数の無線局のうちの少なくとも２つと通信する無線通信手段と、
干渉測定のための第１リソースとパワー測定のための第２リソースの一対の、要求チャネル品質情報に対応するリソースを示す情報を受信する受信手段と、
前記第１リソースの干渉測定と前記第２リソースのパワー測定を実行する測定手段と、
前記第１リソースの干渉測定と前記第２リソースのパワー測定とに基づいて前記要求チャネル品質情報を計算する制御手段と、
前記計算された要求チャネル品質情報を報告する報告手段と、
を備えたことを特徴とするユーザ端末。
【請求項４１】
前記情報は、ある基準信号に対して測定される信号パワーと別の基準信号に対して測定される干渉パワーとの間のリソース対応関係を示すことを特徴とする請求項４０に記載のユーザ端末。
【請求項４２】
前記情報は、前記ユーザ端末が干渉を測定するリソースを暗黙的または明示的に示すことを特徴とする請求項４０または４１に記載のユーザ端末。
【請求項４３】
前記情報は、前記複数の無線局に適用される干渉ミューティングパターンを暗黙的または明示的に示すことを特徴とする請求項４０ないし４２のいずれか１項に記載のユーザ端末。
【請求項４４】
前記少なくとも２つの無線局は、前記ユーザ端末が移動するとともに変化することを特徴とする請求項４０ないし４３のいずれか１項に記載のユーザ端末。
【発明の詳細な説明】
【技術分野】
【０００１】
本発明は、概して無線通信システムに関し、より詳細には、協調型マルチポイント（coordinated multi-point, ＣｏＭＰ）送受信方式におけるユーザ端末のフィードバック動作を制御する技術に関する。
【背景技術】
【０００２】
協調型マルチポイント送受信は、非特許文献１のセクション４に記載されているように、ＬＴＥ（Long Term Evolution）-Advanced Release 11（Ｒｅｌ．１１）において、高データレートのカバレジ、セル端スループットの向上とともに、システムスループットの向上のためのツールとして検討されている。非特許文献１のセクション５．１．３に記載されているように、ＣｏＭＰ方式、ジョイント送信（joint transmission, ＪＴ）、動的ポイント選択（dynamic point selection, ＤＰＳ）、および協調型スケジューリング／協調型ビームフォーミング（coordinated scheduling/coordinated beamforming, ＣＳ／ＣＢ）が、サポートされるべきとして合意されている。ＪＴおよびＤＰＳの場合、ユーザ機器（user equipment, ＵＥ）に対するデータは、ＣｏＭＰ協働セット（CoMP cooperating set）内の複数のポイントで利用可能である。ＣｏＭＰ協働セットは、非特許文献１のセクション５．１．４では、時間−周波数リソースにおいてＵＥへのデータ送信に直接的および／または間接的に関与する（地理的に分離した）ポイントのセットとして規定されている。ＣＳ／ＣＢの場合、ＵＥに対するデータは、１つのポイント（サービングポイント）のみで利用可能でありそこから送信されるが、ユーザスケジューリング／ビームフォーミングの決定が、ＣｏＭＰ協働セットに対応するポイント間で協調的に行われる。なお、協調型マルチポイント送受信において「ポイント」という用語は、基地局、ノードＢまたはｅＮＢの無線局、送受信ユニット、遠隔無線機器（remote radio equipment, ＲＲＥ）または分散アンテナとして使用可能であることに留意すべきである。したがって、本明細書では、ポイント、無線局、送受信ユニットおよびセルは同義語として使用される場合がある。
【０００３】
ＪＴの場合、同時データ送信のために複数の送信ポイント（transmission point, ＴＰ）が選択され、干渉は、選択されたＴＰ以外のポイントから来る。ＤＰＳの場合、ただ１つのＴＰが動的に選択され、干渉は、そのただ１つの選択されたＴＰ以外のポイントから来る。ＣＢ／ＣＳの場合には、サービングポイントが、データを送信する唯一のＴＰであるが、近隣セルからの強い干渉は大幅に低減される。したがって、相異なるＣｏＭＰ方式の使用により、さまざまな種類の干渉が生じる。
【０００４】
非特許文献１のセクション５．２．２に記載されているように、ＣｏＭＰ  ＪＴ、ＤＰＳおよびＣＢ／ＣＳをサポート可能な共通のフィードバックフレームワークを標準化することが決定されている。上記のすべてのＣｏＭＰ方式をサポートするチャネル依存スケジューリングのため、非特許文献１のセクション５．１．４には、ＣｏＭＰ測定セットが、ポイントからＵＥへのリンクに関連するチャネル状態／統計情報（channel state/statistical information, ＣＳＩ）が測定および／または報告されるようなポイントのセットとして規定されている。ここで、ＣｏＭＰ測定セット内の相異なるセルでミューティングのある干渉パワーを考慮したチャネル品質情報（channel quality information, ＣＱＩ）をＵＥ側で推定し、ＵＥからネットワークにフィードバックする必要がある。
【０００５】
Ｒｅｌ．８／９では、ＣＳＩ測定のためにセル固有基準信号（cell-specific reference signal, ＣＲＳ）が使用されている。干渉測定は、ＵＥ挙動に関しては完全に無規定のままである。Ｒｅｌ．１０では、非特許文献２のセクション６．１０．５．２に記載されているように、単一セルダウンリンク送信のＣＳＩ測定のために非ゼロパワーＣＳＩ−ＲＳおよびゼロパワーＣＳＩ−ＲＳが導入されている。Ｒｅｌ．１１のＣｏＭＰワークアイテム（work item, ＷＩ）では、ＣｏＭＰ測定セット内の複数のポイントからの信号を測定するために、直交リソースに対して複数の非ゼロパワーＣＳＩ−ＲＳを使用することが提案されている。
【０００６】
また、ＣｏＭＰ測定セット内のポイントに対する可変なミューティングパターンを設定することによって、ＣｏＭＰクラスタ内およびＣｏＭＰクラスタ間の干渉を測定するために、非特許文献３におけるゼロパワーＣＳＩ−ＲＳや非特許文献４におけるＰＤＳＣＨミューティングリソース要素（resource element, ＲＥ）のような干渉測定リソースを指定することも提案されている。
【０００７】
非特許文献５のセクション６．３．２によれば、サービングポイントは、無線リソース制御（radio resource control, ＲＲＣ）シグナリングによるＣＳＩ−ＲＳ−Ｃｏｎｆｉｇの情報要素として、非ゼロパワーＣＳＩ−ＲＳおよびゼロパワーＣＳＩ−ＲＳのリソース位置、すなわち、リソース要素（ＲＥ）インデックスおよびサブフレームインデックスのみをＵＥに半静的に通知する。複数の非ゼロパワーＣＳＩ−ＲＳを使用することによるマルチポイント信号パワー測定の場合、非特許文献６に記載されているように非ゼロパワーＣＳＩ−ＲＳがセル固有スクランブリングシーケンスを使用することによって生成されるときには、ＣｏＭＰ測定セット内の各セルのセルアイデンティティ（ＩＤ）のような追加情報もＵＥ検出のために必要とされることがある。この場合、非特許文献２のセクション６．８．２に規定されているように、セル固有スクランブリングシーケンスの初期化値を生成するために物理セルＩＤが使用される。
【０００８】
本発明が解決しようとする課題を説明するため、ＣｏＭＰを用いたシステムの簡単な例を図１に示す。図１において、ＵＥはセル１によってサービスされ、ＣｏＭＰ測定セットはサービングセル（セル１）および協働セル（セル２およびセル３）から構成されると仮定される。セル１、セル２およびセル３は、それぞれバックホールリンクＢＬ１、ＢＬ２およびＢＬ３を通じて中央制御ユニット（central control unit, ＣＣＵ）によって管理される。
【０００９】
図２Ａに示すように、ＣＣＵは、セル１、セル２およびセル３に対して、直交する非ゼロパワーＣＳＩ基準信号ＣＳＩ−ＲＳ１、ＣＳＩ−ＲＳ２およびＣＳＩ−ＲＳ３をそれぞれ設定する。さらに、相異なるセルでミューティングのある干渉を測定するために、ゼロパワーＣＳＩ基準信号ＺＰ−ＣＳＩ−ＲＳａ、ＺＰ−ＣＳＩ−ＲＳｂ、ＺＰ−ＣＳＩ−ＲＳｃおよびＺＰ−ＣＳＩ−ＲＳｄも設定される。ここで、相異なるゼロパワーＣＳＩ−ＲＳリソースに対するミューティングパターンをそれぞれＭａ、Ｍｂ、ＭｃおよびＭｄで示す。ミューティングパターンＭａでは、セル１およびセル２の信号パワーがミュートされる。ミューティングパターンＭｂでは、セル１およびセル３の信号パワーがミュートされる。ミューティングパターンＭｃでは、セル２およびセル３の信号パワーがミュートされる。ミューティングパターンＭｄでは、セル１〜３の信号パワーがミュートされる。セルの信号パワーがミュートされると、そのセルからの干渉を、ＵＥにおける干渉に関する考慮から取り除くことができる。したがって、ミューティングパターンＭｄでは、ＣｏＭＰ測定セット内の干渉がすべて排除される。
【００１０】
図２Ｂに示すように、ＵＥには、ＲＥインデックスおよびサブフレームインデックスによって規定されるリソース位置を含むＣＳＩ−ＲＳ１、ＣＳＩ−ＲＳ２およびＣＳＩ−ＲＳ３の設定情報が、対応するセルＩＤとともに通知される。設定情報に基づいて、ＵＥは、セルごとの信号パワーＳ１、Ｓ２およびＳ３を測定することができる。さらに、ゼロパワー（zero-power, ＺＰ）−ＣＳＩ−ＲＳａ、ＺＰ−ＣＳＩ−ＲＳｂ、ＺＰ−ＣＳＩ−ＲＳｃおよびＺＰ−ＣＳＩ−ＲＳｄのリソース位置の知識を用いて、ＵＥは、次のようにＺＰ−ＣＳＩ−ＲＳの通知された位置における受信パワーを測定し平均（average）することによって、ミューティングパターンＭａ、Ｍｂ、ＭｃおよびＭｄに従って干渉パワーＩａ、Ｉｂ、Ｉｃ、Ｉｄを計算することができる。
ミューティングパターンＭａ：Ｉａ＝ａｖｅｒａｇｅ（０＋０＋Ｓ３＋Ｎ）
ミューティングパターンＭｂ：Ｉｂ＝ａｖｅｒａｇｅ（０＋Ｓ２＋０＋Ｎ）
ミューティングパターンＭｃ：Ｉｃ＝ａｖｅｒａｇｅ（Ｓ１＋０＋０＋Ｎ）
ミューティングパターンＭｄ：Ｉａ＝ａｖｅｒａｇｅ（０＋０＋０＋Ｎ）
ただし、Ｎは、ＣｏＭＰ測定セット外からの干渉と、加法性白色ガウス雑音（additive white Gaussian noise, ＡＷＧＮ）との和を表す。
【００１１】
その後、ＣｏＭＰに対するミュートされた干渉を考慮したＣＳＩ−ＲＳリソースごとのＣＱＩを、図２Ｃに示すようにＵＥにおいて計算することができる。
【００１２】
ネットワークはＣＳＩ−ＲＳのＲＥ位置のみをＵＥに通知するので、ＵＥは、ＣＱＩ計算のためにどのセルの信号が算入されるかを知ることができず、それゆえに、図２Ｃに示すようにＣＱＩを計算するためにすべての干渉を使用する。例えば、ＵＥで測定されるセル１に対する信号パワーＳ１は、ミューティングパターンＭｃではミュートされないので、計算Ｉｃ＝ａｖｅｒ（Ｓ１＋Ｎ）は、ＣＳＩ−ＲＳ１のリソースにおける実際の干渉を反映しない。
【００１３】
しかし、ＵＥにはＣＳＩ−ＲＳのＲＥ位置のみが通知されるので、計算Ｉｃ＝ａｖｅｒ（Ｓ１＋Ｎ）は算入されると仮定され、その結果、Ｓ１／Ｉｃのような誤ったＣＱＩが得られる。同様のケースは、図２Ｃに示すように、Ｓ２／Ｉｂ＝Ｓ２／ａｖｅｒａｇｅ（Ｓ２＋Ｎ）およびＳ３／Ｉａ＝Ｓ２／ａｖｅｒａｇｅ（Ｓ３＋Ｎ）が測定・報告される場合にも起こる。誤ったＣＱＩの計算およびフィードバックは、無駄な電力消費および不要なフィードバックオーバーヘッドを生じる可能性がある。
【先行技術文献】
【非特許文献】
【００１４】
【非特許文献１】3GPP TR 36.819 v11.0.0, Coordinated multi-point operation for LTE physical layer aspects (Release 11)
【非特許文献２】3GPP TS 36.211 v10.3.0, Physical Channels and Modulation of Evolved Universal Terrestrial Radio Access (E-UTRA) (Release 10)
【非特許文献３】R1-114260, Ericsson, ST-Ericsson
【非特許文献４】R1-114228, Samsung
【非特許文献５】3GPP TS 36.331 v10.3.0, Radio resource control (RRC) and Protocol specification of Evolved Universal Terrestrial Radio Access (E-UTRA) (Release 10)
【非特許文献６】R1-114318, Nokia Siemens Networks, Nokia
【発明の概要】
【発明が解決しようとする課題】
【００１５】
本発明の目的は、ＣｏＭＰスケジューリングのためのＣＱＩの効率的な測定およびフィードバックを可能にする方法およびシステムを提供することである。
【課題を解決するための手段】
【００１６】
本発明によれば、無線通信システムが、ネットワークおよびユーザ端末を備え、前記ネットワークは、複数の無線局と、該複数の無線局を制御するコントローラとを備え、前記複数の無線局のうちの少なくとも２つが前記ユーザ端末と通信し、前記コントローラは、干渉測定のための第１リソースとパワー測定のための第２リソースの一対の、要求チャネル品質情報に対応するリソースを示す情報を前記ユーザ端末に通知し、前記ユーザ端末は、前記第１リソースの干渉測定と前記第２リソースのパワー測定とに基づいて前記要求チャネル品質情報を計算し、前記計算された要求チャネル品質情報を報告する。
本発明によれば、ネットワークおよびユーザ端末を備えた無線通信システムにおける通信方法において、前記ネットワークは、複数の無線局と、該複数の無線局を制御するコントローラとを備え、該方法は、前記複数の無線局のうちの少なくとも２つを、前記ユーザ端末と通信するように設定し、干渉測定のための第１リソースとパワー測定のための第２リソースの一対の、要求チャネル品質情報に対応するリソースを示す情報を前記ユーザ端末に通知し、前記ユーザ端末は、前記第１リソースの干渉測定と前記第２リソースのパワー測定とに基づいて前記要求チャネル品質情報を計算し、前記計算された要求チャネル品質情報を報告する。
無線通信システムにおいて複数の無線局を制御する制御装置が、前記複数の無線局のうち、ユーザ端末と通信する少なくとも２つを設定する測定セット決定手段と、干渉測定のための第１リソースとパワー測定のための第２リソースの一対の、要求チャネル品質情報に対応するリソースを示す情報を前記ユーザ端末に通知する制御手段とを備え、前記ユーザ端末は、前記第１リソースの干渉測定と前記第２リソースのパワー測定とに基づいて前記要求チャネル品質情報を計算し、前記計算された要求チャネル品質情報を報告する。
複数の無線局と、該複数の無線局を制御するネットワークコントローラとを備えた無線通信システムにおけるユーザ端末が、前記複数の無線局のうちの少なくとも２つと通信する無線通信手段と、干渉測定のための第１リソースとパワー測定のための第２リソースの一対の、要求チャネル品質情報に対応するリソースを示す情報を受信する受信手段と、前記第１リソースの干渉測定と前記第２リソースのパワー測定を実行する測定手段と、前記第１リソースの干渉測定と前記第２リソースのパワー測定とに基づいて前記要求チャネル品質情報を計算する制御手段と、前記計算された要求チャネル品質情報を報告する報告手段とを備える。
【発明の効果】
【００１７】
本発明によれば、ＵＥ側における非要求ＣＱＩの不要な計算を回避することができ、不要なフィードバックオーバーヘッドを低減することができる。したがって、不要な計算およびフィードバックに対応する電力消費が回避される。
【００１８】
本発明およびその利点をより完全に理解するため、以下の説明を添付図面とともに参照されたい。図中、同じ参照符号は同じ部分を表す。
【図面の簡単な説明】
【００１９】
【図１】ＵＥを含む無線通信システムの一例をそのＣｏＭＰ測定セットとともに例示する模式図である。
【図２Ａ】図１に示したような無線通信システムにおける各セルに対する非ゼロパワーＣＳＩ−ＲＳおよびゼロパワーＣＳＩ−ＲＳの設定を例示する模式図である。
【図２Ｂ】図１に示したような無線通信システムにおけるＵＥにおける非ゼロパワーＣＳＩ−ＲＳおよびゼロパワーＣＳＩ−ＲＳの通知されるリソース位置を例示する模式図である。
【図２Ｃ】ＣＳＩ−ＲＳごとのＣＱＩ計算の一例を示す図である。
【図３】本発明の概要を説明するために、ネットワークにおける非ゼロパワーＣＳＩ−ＲＳおよびＺＰ−ＣＳＩ−ＲＳの設定と、ＵＥにおける干渉がミュートされたＣＳＩ−ＲＳリソースごとのＣＱＩを例示する模式図である。
【図４】第１の例示的実施形態による無線通信システムを例示するブロック図である。
【図５】図４の無線通信システムにおけるネットワークおよびＵＥの動作の第１実施例を例示するシーケンス図である。
【図６Ａ】図５の第１実施例におけるＣＳＩ−ＲＳ設定の情報およびＲＲＣ信号内の情報要素に含まれる要求ＣＱＩに対するＲＳペアリストを例示する図である。
【図６Ｂ】図５の第１実施例におけるセル１に対する非ゼロパワーＣＳＩ−ＲＳとゼロパワーＣＳＩ−ＲＳとの間の対応関係を例示する模式図である。
【図６Ｃ】図６Ａに示したようなＲＳペアリストおよびＣＳＩ−ＲＳ設定の組合せ情報を例示する図である。
【図７】図４の無線通信システムにおけるネットワークおよびＵＥの動作の第２実施例を例示するシーケンス図である。
【図８Ａ】図５の第１実施例におけるＣＳＩ−ＲＳ設定の情報およびＲＲＣ信号内の情報要素に含まれる非要求ＣＱＩに対するＲＳペアリストを例示する図である。
【図８Ｂ】図５の第１実施例におけるセル１に対する非ゼロパワーＣＳＩ−ＲＳとゼロパワーＣＳＩ−ＲＳとの間の対応関係を例示する模式図である。
【図９】第２の例示的実施形態による無線通信システムを例示するブロック図である。
【図１０】図９の無線通信システムにおけるネットワークおよびＵＥの動作の第３実施例を例示するシーケンス図である。
【図１１Ａ】図１０の第３実施例におけるＣＳＩ−ＲＳ設定の情報およびＲＲＣ信号内の情報要素に含まれるミュートセルＩＤを例示する図である。
【図１１Ｂ】図９の無線通信システムにおけるネットワークおよびＵＥの動作の第４実施例における、ＣＳＩ−ＲＳ設定の情報と、ミューティングパターンと非ミュートセルＩＤとの間の対応関係とを例示する図である。
【図１２】本発明の第３の例示的実施形態による無線通信システムにおける、ＣｏＭＰ測定セットの変更と、対応する更新されたＣＳＩ−ＲＳおよびＺＰ−ＣＳＩ−ＲＳ設定とを例示する模式図である。
【図１３】第１実施例による無線通信システムにおける更新されたＣｏＭＰ測定セットの場合の要求ＣＱＩのＲＳペアを例示する表である。
【図１４】第２実施例による無線通信システムにおける更新されたＣｏＭＰ測定セットの場合の非要求ＣＱＩのＲＳペアを例示する表である。
【図１５】第３実施例による無線通信システムにおける更新されたＣｏＭＰ測定セットの場合のミュートセルインデックスを有する干渉ミューティングパターンを例示する表である。
【図１６】第４実施例による無線通信システムにおける更新されたＣｏＭＰ測定セットの場合の非ミュートセルインデックスを有する干渉ミューティングパターンを例示する表である。
【図１７】第３の例示的実施形態による無線通信システムにおける更新されたＣｏＭＰ測定セットの場合の、干渉がミュートされたＣＳＩ−ＲＳリソースごとのＣＱＩを例示する表である。
【図１８】第４の例示的実施形態による無線通信システムを例示する模式図である。
【発明を実施するための形態】
【００２０】
以下、本発明の例示的実施形態について、添付図面を参照することにより説明する。本発明の原理を説明するために用いられる実施形態は単なる例示であり、いかなる意味でも開示の範囲を限定するものと解釈されてはならない。当業者には理解されるように、本発明の原理は、任意の適当に構成されたワイヤレスネットワークにおいて実施可能である。以下、本発明の原理について図３を参照することにより説明する。
【００２１】
図３において、ネットワーク１０は、それぞれバックホールリンクＢＬ１−ＢＬ３を通じてＣＣＵによって管理されるセル１、セル２およびセル３を有し、ＵＥ２０はセル１によってサービスされ、ＣｏＭＰ測定セットは図１に示したようにサービングセル１および協働セル２およびセル３から構成されると仮定される。ＣＣＵは、セル１、セル２およびセル３に対して、直交する非ゼロパワーＣＳＩ基準信号ＣＳＩ−ＲＳ１、ＣＳＩ−ＲＳ２およびＣＳＩ−ＲＳ３をそれぞれ設定する。図２に示したように、相異なるセルでミューティングのある干渉を測定するために、ゼロパワーＣＳＩ基準信号ＺＰ−ＣＳＩ−ＲＳａ、ＺＰ−ＣＳＩ−ＲＳｂ、ＺＰ−ＣＳＩ−ＲＳｃおよびＺＰ−ＣＳＩ−ＲＳｄも設定される。
【００２２】
以下で説明する例示的実施形態によれば、図３に示すようなネットワーク１０は、干渉測定リソースを暗黙的または明示的に示す情報をＵＥ２０に通知する。すなわち、干渉測定リソースを示す信号により、ＵＥ２０は、図３に示したようにＣＳＩ−ＲＳとＺＰ−ＣＳＩ−ＲＳの有効なペアを選択することが可能となる。ミューティングパターンＭａを例にとれば、セル１およびセル２の信号パワーがミュートされるので、ＺＰ−ＣＳＩ−ＲＳａと、ＣＳＩ−ＲＳ１およびＣＳＩ−ＲＳ２のそれぞれとの組合せによって規定される干渉測定リソースに関する情報を、ＣＱＩ計算のために有効に使用することができる。換言すれば、ＺＰ−ＣＳＩ−ＲＳａとＣＳＩ−ＲＳ３の組合せによって規定される干渉測定リソースに関する情報はＣＱＩ計算のために使用されない。したがって、誤ったＣＱＩの計算およびフィードバックを有効に回避することができるので、不要なフィードバックオーバーヘッドが低減され、ＣｏＭＰスケジューリングのためのＣＱＩが効率的に計算される。
【００２３】
１．第１の例示的実施形態
第１の例示的実施形態によれば、ネットワークが、ＣＱＩ計算を可能にするリソースペアに関する情報をＵＥに通知するような、明示的なシグナリング方法が使用される。詳細な構成および動作について、図４〜図８を参照することにより説明する。
【００２４】
１．１）システム構成
図４に示すように、第１の例示的実施形態による無線通信システムは、ネットワーク１０およびＵＥ２０から構成されると仮定される。ネットワーク１０は、複数のエンハンストノードＢ（enhanced Node-B, ｅＮＢ）から構成され、各ｅＮＢは、バックホールリンクＢＬ１、ＢＬ２およびＢＬ３を通じてサービング無線局１１０（セル１に対応する）と、他の協働無線局（セル２およびセル３に対応する）をそれぞれ制御する中央制御ユニット（ＣＣＵ）１００を有する。ここで、ｅＮＢは、バックホールリンクを通じて複数のセルまたは低パワーノード（low power node, ＬＰＮ）を制御する集中局である。ｅＮＢ内ＣｏＭＰは、ｅＮＢの制御エリアで実行される。ｅＮＢ間ＣｏＭＰの場合、ＵＥは複数のｅＮＢに接続され、ｅＮＢ間の情報はＸ２バックホールを通じて交換される。以下では、ＣＣＵ１００の機能をより良く理解するため、ｅＮＢ内ＣｏＭＰについて例示する。前述のように、本明細書では、ポイント、無線局、セルおよび送受信ユニットは同義語として使用される。
【００２５】
ＣＣＵ１００は、以下の機能ブロックを有する：ＣｏＭＰ測定セット決定部１０１、ＣＳＩ−ＲＳ・ミューティングパターン設定部１０２、ＵＥの測定・報告のために要求または非要求ＣＱＩを計算するＲＳペア決定部１０３、複数の送信ポイントのためのジョイントスケジューラ１０４、バックホールリンク（backhaul link, ＢＬ）通信部１０５、およびコントローラ１０６。ＣｏＭＰ測定セット内の各無線局はＵＥ２０と通信しており、以下の機能ブロックを有する：ＢＬ通信部１１１、コントローラ１１２、無線送信器１１３、および無線受信器１１４。ＵＥ２０は、以下の機能ブロックを有する：無線送信器２０１、無線受信器２０２、ＤＬ信号・干渉測定部２０３、ＣＱＩ計算部２０４、およびコントローラ２０５。
【００２６】
上記の機能ブロックを使用することにより、ネットワーク１０は、ＣｏＭＰスケジューリングのために、非ゼロパワー／ゼロパワーＣＳＩ−ＲＳ設定と、要求または非要求ＣＱＩのＲＳペアとを決定することができる。ＵＥ２０は、ネットワーク１０によって、ＲＳペアリストとともにＣＳＩ−ＲＳ設定について通知される。ＵＥは、設定された非ゼロパワーＣＳＩ−ＲＳおよびゼロパワーＣＳＩ−ＲＳをそれぞれ使用することにより、信号パワーおよびミューティングのある干渉パワーを測定することができる。その後、ＵＥ２０は、通知されたＲＳペアリストに基づいて要求ＣＱＩを計算し、最終的に、ＵＬチャネルを通じてネットワーク１０へ、計算されたＣＱＩをフィードバックする。
【００２７】
１．２）第１実施例
第１の例示的実施形態による通信方法の第１実施例は、要求ＣＱＩのＲＳペアのシグナリングを使用する。ネットワーク１０は、ＣＳＩ−ＲＳ設定と要求ＣＱＩとを決定した後、要求ＣＱＩの計算のために、非ゼロパワーＣＳＩ−ＲＳで測定される信号パワーとゼロパワーＣＳＩ−ＲＳで測定される干渉パワーとの間の対応関係を示す信号をＵＥ２０へ明示的に送信する。以下、第１実施例について説明する。
【００２８】
図５を参照すると、ネットワーク１０において、ＣＣＵ１００のＣｏＭＰ測定セット決定部１０１が、ターゲットＵＥ２０に対するＣｏＭＰ測定セットを決定する（動作３０１）。本実施例では、ＣｏＭＰ測定セットは、無線局１１０および協働無線局、すなわちセル１、セル２およびセル３を含む。次に、ＣＳＩ−ＲＳ・ミューティングパターン設定部１０２が、図３に示したように、直交するリソース要素（ＲＥ）にわたるセル１、セル２およびセル３に対する非ゼロパワーＣＳＩ−ＲＳ（ＣＳＩ−ＲＳ１、ＣＳＩ−ＲＳ２、ＣＳＩ−ＲＳ３）および相異なるミューティングパターン（Ｍａ、Ｍｂ、Ｍｃ、Ｍｄ）を有するゼロパワーＣＳＩ−ＲＳ（ＺＰ−ＣＳＩ−ＲＳａ、ＺＰ−ＣＳＩ−ＲＳｂ、ＺＰ−ＣＳＩ−ＲＳｃ、ＺＰ−ＣＳＩ−ＲＳｄ）を設定する（動作３０２）。その後、ＲＳペア決定部１０３が、図６Ａおよび図６Ｂに示すように、要求ＣＱＩを計算するためのＲＳペアを決定し（動作３０３）、コントローラ１０６の制御下で、バックホールリンク通信部１０５が、ＲＳ設定のインジケータと要求ＣＱＩに対するＲＳペアリストとを、サービング無線局１１０経由でＵＥ２０へ送信する（動作３０４）。非特許文献５に規定されたＲＲＣ信号ＣＳＩ−ＲＳ−Ｃｏｎｆｉｇでは、サービングセルにおける非ゼロパワーＣＳＩ−ＲＳおよびゼロパワーＣＳＩ−ＲＳに対するＣＳＩ−ＲＳ設定の情報は、シングルポイント送信に対してはすでに規定されている。簡単な拡張を使用することにより、複数の非ゼロパワーＣＳＩ−ＲＳおよび複数のゼロパワーＣＳＩ−ＲＳに対するＣＳＩ−ＲＳ設定の情報が、図６Ａに例示されている。ＲＳペアリストは追加情報であり、ＣＳＩ−ＲＳ設定とともに運用すべきである。図６Ａにおける上記のＲＳペアリストおよびＣＳＩ−ＲＳ設定の別個の情報は、図６Ｃに例示する情報のように組み合わされて、ネットワーク１０からＵＥ２０へ送信されてもよい。
【００２９】
ＲＳ設定の情報は、ＲＲＣ信号ＣＳＩ−ＲＳ−Ｃｏｎｆｉｇの情報要素におけるインジケータとして格納される。上記のＲＳペアの情報は、同じくＲＲＣ信号ＣＳＩ−ＲＳ−Ｃｏｎｆｉｇの情報要素におけるインジケータとして格納されることも、あるいはＲＲＣ信号ＣＱＩ−Ｒｅｐｏｒｔ−Ｃｏｎｆｉｇの情報要素におけるインジケータとして別個に格納されることも可能である。これらのＲＲＣ信号は両方とも、非特許文献５のセクション６．３．２に規定されている。このようなＲＲＣ信号は、コントローラ１１２で生成され、サービング無線局１１０（セル１）における送信器１１３を通じてターゲットＵＥ２０へ半静的に（例えば、１２０ｍｓ、２４０ｍｓ等）通知される。設定された非ゼロパワーおよびゼロパワーのＣＳＩ−ＲＳ（同じく、ＣｏＭＰ測定セット内の各セルのコントローラ１１２で生成される）は、ＲＲＣ信号よりも短い周期（例えば、５ｍｓ、１０ｍｓ等）で周期的にＵＥ２０へ送信される。
【００３０】
ＵＥ２０において、無線受信器２０２が無線局１１０からＤＬ信号を受信すると、信号・干渉測定部２０３が、ＲＲＣ信号に従って非ゼロパワーＣＳＩ−ＲＳを検出することにより、セルごとの信号パワーを測定するとともに、ゼロパワーＣＳＩ−ＲＳの位置における受信パワーを測定することで、ミューティングのある干渉パワーを取得する（動作３０５）。ＣＱＩ計算部２０４が、測定された信号パワーおよびミューティングのある干渉パワーを用いて、通知されたＲＳペアリストに従って要求ＣＱＩのみを計算する（動作３０６）。次に、計算されたＣＱＩおよび他の推定されたＣＳＩを含むＵＬ信号が生成された後、ＰＵＣＣＨ（physical uplink control channel, 物理アップリンク制御チャネル）またはＰＵＳＣＨ（physical uplink shared data channel, 物理アップリンク共有データチャネル）のようなアップリンクチャネルを通じて無線送信器２０１によってフィードバックされる（動作３０７）。無線局１１０では、無線受信器１１４によって受信されたＣＱＩフィードバックが、バックホールリンクＢＬ１を通じてＣＣＵ１００へ転送される。
【００３１】
ＣＣＵ１００において、ＣＱＩフィードバックを受信すると、コントローラ１０６がジョイントスケジューラ１０４を制御して、送信ポイント（ＴＰ）選択、リソース割当ておよび各ＴＰに対するプリコーディングベクトル選択を行う（動作３０８）。スケジューリング結果は、バックホールリンクＢＬ１−ＢＬ３を通じて無線局１１０および協働無線局（セル１、セル２およびセル３）によって共有される。最後に、動的スケジューリング結果の一部を含むダウンリンク制御情報がサービング無線局１１０で生成され、ＰＤＣＣＨ（physical downlink control channel, 物理ダウンリンク制御チャネル）またはエンハンストＰＤＣＣＨ（enhanced PDCCH, ｅＰＤＣＣＨ）のようなダウンリンク制御チャネルを通じて無線送信器１１３によって送信される。動的スケジューリング結果に基づいて、ＵＥ２０に対するダウンリンクデータが、選択されたＴＰの無線局で生成され、ダウンリンクデータチャネル、すなわちＰＤＳＣＨ（physical downlink shared data channel, 物理ダウンリンク共有データチャネル）を通じて無線送信器１１３によって送信される（動作３０９）。一例として、制御信号は、サービングポイントのみからＰＤＣＣＨまたはｅＰＤＣＣＨを通じて送信される。また、サービングポイントとは異なる選択されたＴＰまたは複数の選択されたＴＰから制御信号を送信することも可能である。その場合、選択されたＴＰは、データ送信のＴＰとは異なってもよい。
【００３２】
ＵＥ２０の移動によりＣｏＭＰ測定セットが変更されるとき、ＣｏＭＰ測定セット決定部１０１が、ターゲットＵＥ２０に対するＣｏＭＰ測定セットを更新する（動作３１０）。動作３１０以後の動作３１１−３１３を含む動作は上記のような動作３０２−３０９と同様なので、その説明は省略する。
【００３３】
１．３）第２実施例
第１の例示的実施形態による通信方法の第２実施例は、非要求ＣＱＩのＲＳペアのシグナリングを使用する。ネットワーク１０は、ＣＳＩ−ＲＳ設定と非要求ＣＱＩのＲＳペアとを決定した後、非要求ＣＱＩのＲＳペアのリストをＵＥ２０へ明示的に送信することにより、誤ったＣＱＩの計算を回避する。第２実施例によれば、非要求ＣＱＩのＲＳペアリストのインジケータがネットワーク１０からＵＥ２０へ送信される。これが、第１実施例と第２実施例との間の主要な相違点である。そこで、以下、第２実施例について、主にこの相違点に関して説明する。
【００３４】
図７を参照すると、ネットワーク１０において、ＣｏＭＰ測定セット決定部１０１およびＣＳＩ−ＲＳ・ミューティングパターン設定部１０２が、それぞれ動作３０１および３０２を実行する。その後、ＲＳペア決定部１０３が、図８Ａおよび図８Ｂに示すように、非要求ＣＱＩに対するＲＳペアを決定し（動作３０３ａ）、コントローラ１０６の制御下で、バックホールリンク通信部１０５が、ＣＳＩ−ＲＳ設定のインジケータと非要求ＣＱＩに対するＲＳペアリストとを、無線局経由でＵＥ２０へ送信する（動作３０４ａ）。このようなＲＳペアリストの情報は、ＲＲＣ信号ＣＱＩ−Ｒｅｐｏｒｔ−ＣｏｎｆｉｇまたはＣＳＩ−ＲＳ−Ｃｏｎｆｉｇ内の情報要素に含められ、ＵＥへ半静的に送信される。
【００３５】
ＵＥ２０において、信号・干渉測定部２０３が、セルごとの信号パワーおよびミューティングのある干渉パワーを測定する（動作３０５）。ＣＱＩ計算部２０４が、通知されたＲＳペアに対応する非要求ＣＱＩのもの以外のＲＳペアのすべての組合せを使用することにより、ＣＱＩを計算する（動作３０６）。その後、ＵＥ２０が、計算されたＣＱＩをネットワーク１０へフィードバックする（動作３０７）。
【００３６】
このようにして、ＵＥ２０は、非要求ＣＱＩに対するＲＳペアのインジケータを参照することにより、ネットワーク１０へ非要求ＣＱＩをフィードバックしないので、不要なフィードバックオーバーヘッドが低減され、ＣｏＭＰスケジューリングのためのＣＱＩが効率的に計算される。第１実施例と比較して、第２実施例は、ネットワークからＵＥへ送信されるインジケータの量をさらに低減することができる。
【００３７】
２．第２の例示的実施形態
第２の例示的実施形態によれば、ネットワークが、ミュートされた干渉（ミュート干渉）およびミュートされていない干渉（非ミュート干渉）のセルインデックス（ＩＤ）に関する情報のみをＵＥ２０に通知し、これを用いてＵＥにおいて要求ＣＱＩを決定し計算するような、暗黙的なシグナリング方法が使用される。詳細な構成および動作について、図９〜図１１を参照することにより説明する。
【００３８】
２．１）システム構成
図９に示すように、ＣＣＵ１００ａおよびＵＥ２０ａは、機能的構造において、図４に示した第１の例示的実施形態のＣＣＵ１００およびＵＥ２０とは異なる。すなわち、第２の例示的実施形態によれば、ＣＣＵ１００ａの代わりに、ＵＥ２０ａに、暗黙的シグナリングにより要求ＣＱＩのＲＳペアを決定する機能が設けられる。これが、第１と第２の例示的実施形態の間の主要な相違点である。そこで、以下、図４を参照して前述したのと同様のブロックは同じ参照符号で表し、その説明は適宜省略する。
【００３９】
ＣＣＵ１００ａは、以下の機能ブロックを有する：ＣｏＭＰ測定セット決定部１０１、ＣＳＩ−ＲＳ・ミューティングパターン設定部１０２、複数の送信ポイントのためのジョイントスケジューラ１０４、バックホールリンク（ＢＬ）通信部１０５、およびコントローラ１０６。ＣｏＭＰ測定セット内の各無線局はＵＥ２０ａと通信しており、以下の機能ブロックを有する：ＢＬ通信部１１１、コントローラ１１２、無線送信器１１３、および無線受信器１１４。ＵＥ２０ａは、以下の機能ブロックを有する：無線送信器２０１、無線受信器２０２、ＤＬ信号・干渉測定部２０３、ＣＱＩ計算部２０４、コントローラ２０５、およびＵＥの測定・報告のために要求ＣＱＩを決定する要求ＣＱＩ決定部２０６。
【００４０】
上記の機能ブロックを使用することにより、ネットワーク１０は、非ゼロパワー／ゼロパワーＣＳＩ−ＲＳ設定を決定することができ、そのＣＳＩ−ＲＳ設定を干渉ミューティングパターンリストとともにＵＥ２０ａに通知する。干渉ミューティングパターンリストは、非ゼロパワーＣＳＩ−ＲＳで測定された信号パワーとゼロパワーＣＳＩ−ＲＳで測定された干渉パワーとの間の関係を示す。ＵＥ２０ａは、設定された非ゼロパワーＣＳＩ−ＲＳおよびゼロパワーＣＳＩ−ＲＳに基づいて、信号パワーおよびミューティングのある干渉パワーを測定することができる。その後、ＵＥ２０ａは、通知された干渉ミューティングパターンリストを使用することによりＣＱＩの複数の候補のうちから要求ＣＱＩを決定した後、要求ＣＱＩを計算し、ＵＬチャネルを通じてネットワーク１０へフィードバックする。
【００４１】
２．２）第３実施例
第２の例示的実施形態による通信方法の第３実施例は、ミュートセルインデックスを有するミューティングパターンリストのシグナリングを使用する。ネットワーク１０は、ＣＳＩ−ＲＳ設定を決定し、ＣＳＩ−ＲＳ設定を、ミュートセルインデックスの干渉ミューティングパターンリストとともにＵＥ２０ａへ半静的に送信する。ＵＥ２０ａは、リストを受信すると、ミューティングのある干渉の通知された情報を使用することにより、要求ＣＱＩを決定し計算する。以下、第３実施例について説明する。
【００４２】
図１０を参照すると、ネットワーク１０において、ＣＣＵ１００ａのＣｏＭＰ測定セット決定部１０１が、ターゲットＵＥ２０に対するＣｏＭＰ測定セットを決定する（動作４０１）。本実施例では、ＣｏＭＰ測定セットは、無線局１１０および協働無線局、すなわちセル１、セル２およびセル３を含む。次に、ＣＳＩ−ＲＳ・ミューティングパターン設定部１０２が、図３に示したように、直交するリソース要素（ＲＥ）にわたるセル１、セル２およびセル３に対する非ゼロパワーＣＳＩ−ＲＳ（ＣＳＩ−ＲＳ１、ＣＳＩ−ＲＳ２、ＣＳＩ−ＲＳ３）および相異なるミューティングパターン（Ｍａ、Ｍｂ、Ｍｃ、Ｍｄ）を有するゼロパワーＣＳＩ−ＲＳ（ＺＰ−ＣＳＩ−ＲＳａ、ＺＰ−ＣＳＩ−ＲＳｂ、ＺＰ−ＣＳＩ−ＲＳｃ、ＺＰ−ＣＳＩ−ＲＳｄ）を設定する（動作４０２）。ゼロパワーＣＳＩ−ＲＳの干渉ミューティングパターンリストは図１１Ａに示されている。これは、ミュートセルＩＤを列挙している。
【００４３】
その後、バックホールリンク通信部１０５が、ＣＳＩ−ＲＳ設定および干渉ミューティングパターンリストを、サービング無線局１１０経由でＵＥ２０ａへ送信する（動作４０３）。
【００４４】
ＣＳＩ−ＲＳ設定の情報は、ＲＲＣ信号ＣＳＩ−ＲＳ−Ｃｏｎｆｉｇの情報要素におけるインジケータとして格納される。上記の干渉ミューティングパターンリストの情報は、同じくＲＲＣ信号ＣＳＩ−ＲＳ−Ｃｏｎｆｉｇの情報要素におけるインジケータとして格納されることも可能であり、あるいはＲＲＣ信号ＣＱＩ−Ｒｅｐｏｒｔ−Ｃｏｎｆｉｇの情報要素におけるインジケータとして別個に格納されることも可能である。これらのＲＲＣ信号は両方とも、非特許文献５のセクション６．３．２に規定されている。このようなＲＲＣ信号は、コントローラ１１２で生成され、サービング無線局１１０（セル１）における送信器１１３を通じてターゲットＵＥ２０ａへ半静的に（例えば、１２０ｍｓ、２４０ｍｓ等）通知される。設定された非ゼロパワーおよびゼロパワーのＣＳＩ−ＲＳ（ＣｏＭＰ測定セットの各セル内のコントローラ１１２で生成される）は、ＲＲＣ信号よりも短い周期（例えば、５ｍｓ、１０ｍｓ等）で周期的にＵＥ２０へ送信される。
【００４５】
ＵＥ２０ａにおいて、無線受信器２０２が無線局１１０からＤＬ信号を受信すると、信号・干渉測定部２０３が、ＲＲＣ信号に従って基準信号ＲＳを検出し、セルごとの信号パワーおよびミューティングのある干渉パワーを測定する（動作４０４）。要求ＣＱＩ決定部２０６が、通知された干渉ミューティングパターンの知識を用いて要求ＣＱＩを決定する（動作４０５）。その後、ＣＱＩ計算部２０４が、測定された信号パワーおよびミューティングのある干渉パワーを用いて、要求ＣＱＩを計算する（動作４０６）。次に、計算されたＣＱＩおよび他のＣＳＩを含むＵＬ信号が生成された後、ＰＵＣＣＨ（物理アップリンク制御チャネル）のようなアップリンクチャネルを通じて無線送信器２０１によってフィードバックされる（動作４０７）。無線局１１０では、無線受信器１１４によって受信されたＣＱＩフィードバックが、バックホールリンクＢＬ１を通じてＣＣＵ１００ａへ転送される。
【００４６】
ＣＣＵ１００ａにおいて、ＣＱＩフィードバックを受信すると、コントローラ１０６がジョイントスケジューラ１０４を制御して、送信ポイント（ＴＰ）選択、リソース割当ておよび各ＴＰに対するプリコーディングベクトル選択を行う（動作４０８）。スケジューリング結果は、バックホールリンクＢＬ１−ＢＬ３を通じてＣｏＭＰ測定セット内の無線局、すなわちセル１、セル２およびセル３によって共有される。最後に、動的スケジューリング結果の一部を含むダウンリンク制御情報がサービング無線局１１０（セル１）で生成され、ＰＤＣＣＨまたはｅＰＤＣＣＨのようなダウンリンク制御チャネルを通じて無線送信器１１３によって送信される。動的スケジューリング結果に基づいて、ＵＥ２０ａに対するダウンリンクデータが、選択されたＴＰの無線局で生成され、ダウンリンクデータチャネル、すなわちＰＤＳＣＨ（物理ダウンリンク共有データチャネル）を通じて無線送信器１１３によって送信される（動作４０９）。一例として、制御信号は、サービングポイントのみからＰＤＣＣＨまたはｅＰＤＣＣＨを通じて送信される。また、サービングポイントとは異なる選択されたＴＰまたは複数の選択されたＴＰから制御信号を送信することも可能である。その場合、選択されたＴＰは、データ送信のＴＰとは異なってもよい。
【００４７】
ＵＥ２０ａの移動によりＣｏＭＰ測定セットが変更されるとき、ＣｏＭＰ測定セット決定部１０１が、ターゲットＵＥ２０ａに対するＣｏＭＰ測定セットを更新する（動作４１０）。動作４１０以後の動作４１１−４１２を含む動作は上記のような動作４０２−４０９と同様なので、その説明は省略する。
【００４８】
２．３）第４実施例
第２の例示的実施形態による通信方法の第４実施例は、図１１Ｂに示すような非ミュートセルインデックスを有するゼロパワーＣＳＩ−ＲＳのミューティングパターンリストのシグナリングを使用する。ネットワーク１０は、ＣＳＩ−ＲＳ設定を決定し、ＣＳＩ−ＲＳ設定を、非ミュートセルインデックスの干渉ミューティングパターンリストとともにＵＥ２０ａへ半静的に送信する。ＵＥ２０ａは、リストを受信すると、非ミュートセルインデックスの通知された情報を使用することにより、要求ＣＱＩを決定し計算する。第４実施例によれば、非ミュートセルインデックスのリストがネットワーク１０からＵＥ２０ａへ送信される。これが、第３実施例と第４実施例との間の主要な相違点である。第４実施例もまた、図１０に示したような第３実施例と同様のプロセスを使用することにより与えられるので、以下、主にこの相違点に関して説明する。
【００４９】
図１０の動作４０２において、ＣＳＩ−ＲＳ・ミューティングパターン設定部１０２が、直交するリソース要素（ＲＥ）にわたるセル１、セル２およびセル３に対する非ゼロパワーＣＳＩ−ＲＳ（ＣＳＩ−ＲＳ１、ＣＳＩ−ＲＳ２、ＣＳＩ−ＲＳ３）および相異なるミューティングパターン（Ｍａ、Ｍｂ、Ｍｃ、Ｍｄ）を有するゼロパワーＣＳＩ−ＲＳ（ＺＰ−ＣＳＩ−ＲＳａ、ＺＰ−ＣＳＩ−ＲＳｂ、ＺＰ−ＣＳＩ−ＲＳｃ、ＺＰ−ＣＳＩ−ＲＳｄ）を設定する。非ミュート干渉セルＩＤのリストは図１１Ｂに示されている。非ミュートセルＩＤのリストは、ＣＳＩ−ＲＳ設定とともに、ターゲットＵＥに通知される（動作４０３）。
【００５０】
非ミュートセルＩＤを有するゼロパワーＣＳＩ−ＲＳのこのようなミューティングパターンリストの情報は、ＲＲＣ信号ＣＱＩ−Ｒｅｐｏｒｔ−ＣｏｎｆｉｇまたはＣＳＩ−ＲＳ−Ｃｏｎｆｉｇ内の情報要素に格納され、ＵＥ２０ａへ半静的に送信される。ＵＥ２０ａにおいて、ＣｏＭＰスケジューリングのための要求ＣＱＩは、通知されたミューティングパターンリストを使用することにより決定された後、測定された信号およびミューティングのある干渉パワーを使用することにより計算されることが可能である（動作４０４−４０６）。他の動作は図１０ですでに説明したので、その詳細は省略する。
【００５１】
３．第３の例示的実施形態
ＵＥモビリティおよびネットワークトラフィック変動の場合、ネットワークはＣｏＭＰ測定セットを更新しなければならない。その場合、そのたびに変更するのはＣｏＭＰ測定セットの一部のみでよい。更新されたＣｏＭＰ測定セットに対しては、ＣＳＩ−ＲＳ設定を再設計して要求ＣＱＩに関連するすべての情報を通知する代わりに、ネットワークは、利用可能なＣＳＩ−ＲＳ設定をできるだけ再利用し、変更部分を反映する情報をＵＥに通知する制御信号を送信するのみとするのが好ましい。これにより、ネットワーク設計が簡略化され、繰り返し情報のシグナリングオーバーヘッドが低減される可能性がある。より良い理解のため、以下にいくつかの実施例を示す。
【００５２】
３．１）ＣｏＭＰ測定セットの更新
図１２に示すように、ＵＥは、セル１から、セル１とセル３の重畳エリアを通りセル４へ向かって移動し、この移動とともに、そのＣｏＭＰ測定セットが更新されると仮定する。この例において、時刻ｔ０におけるＣｏＭＰ測定セットはセル１、セル２およびセル３からなり、これが、ＵＥモビリティにより、時刻ｔ１にセル１およびセル３からなるように更新され、最後に時刻ｔ２にセル１、セル３およびセル４からなるように更新される。このＵＥ移動とともに、対応するＣＳＩ−ＲＳおよびＺＰ−ＣＳＩ−ＲＳ設定が図１２に示すように更新される。ＣＣＵ１００／１００ａ、無線局１１０およびＵＥ２０／２０ａは、図４または図９に示したのと同じ機能構成を有すると仮定する。
【００５３】
３．２）第５実施例
図１３に示すように、第３の例示的実施形態による通信方法の第５実施例は、ＣｏＭＰ測定セットを更新する場合に、利用可能なＣＳＩ−ＲＳ設定をできるだけ再利用するために、要求ＣＱＩに対するＲＳペアリストのシグナリングを使用する。時刻ｔ０におけるＣｏＭＰ測定セットに対する前のＣＳＩ−ＲＳ設定を参照して、時刻ｔ１におけるＣＳＩ−ＲＳは、セル１およびセル３の信号パワーを測定するために非ゼロパワーＣＳＩ−ＲＳ（ＣＳＩ−ＲＳ１，ＣＳＩ−ＲＳ３）がそれぞれ再利用されるとともに、セル１およびセル４からの干渉以外の干渉パワーを測定するためにミューティングパターンＭｂを有するゼロパワーＣＳＩ−ＲＳ（ＺＰ−ＣＳＩ−ＲＳｂ）が再利用されるように設定される。上記のＣＳＩ−ＲＳ設定が図１３のように時刻ｔ１で更新され、ＲＲＣ信号ＣＳＩ−ＲＳ−Ｃｏｎｆｉｇを使用することによりＵＥ２０に通知される。これにより、図１３に示される要求ＣＱＩのＲＳペアリストが、ＲＳペア決定部１０３（図４参照）によって決定される。これは、時刻ｔ１に、ＲＲＣ信号ＣＱＩ−Ｒｅｐｏｒｔ−ＣｏｎｆｉｇまたはＣＳＩ−ＲＳ−Ｃｏｎｆｉｇの情報要素を用いて送信されることが可能である。ＵＥ２０において、図１７に列挙された、ＣＳＩ−ＲＳリソースごとの要求ＣＱＩが、ＣＱＩ計算部２０４（図４参照）で計算される。以下、簡単のため、ＣＳＩ−ＲＳ１、ＣＳＩ−ＲＳ２およびＣＳＩ−ＲＳ３のような複数のＣＳＩ−ＲＳを（ＣＳＩ−ＲＳ１，２，３，...）のように表す。
【００５４】
時刻ｔ２において、ＣｏＭＰ測定セットがセル１、セル４およびセル３に更新される。時刻ｔ１における前のＣＳＩ−ＲＳ設定を参照して、時刻ｔ２におけるＣＳＩ−ＲＳがＣＳＩ−ＲＳ・ミューティングパターン設定部１０２（図４参照）で設定される。図１２に示したように、セル１、セル４およびセル３の信号パワーを測定するために非ゼロパワーＣＳＩ−ＲＳ（ＣＳＩ−ＲＳ１，２，３）がそれぞれ設定され、ミューティングパターン（Ｍａ，Ｍｂ，Ｍｃ，Ｍｄ）を有するゼロパワーＣＳＩ−ＲＳ（ＺＰ−ＣＳＩ−ＲＳａ，ｂ，ｃ，ｄ）が設定される。ミューティングパターン（Ｍａ，Ｍｂ，Ｍｃ）は、セル３、セル４、セル１からの干渉以外のＣｏＭＰ測定セット内の干渉を含まない干渉パワーを測定するようにそれぞれ設計され、Ｍｄは、ＣｏＭＰ測定セットからのすべての干渉を除外するために使用される。上記のＣＳＩ−ＲＳ設定が図１３のように時刻ｔ２で更新され、ＲＲＣ信号ＣＳＩ−ＲＳ−Ｃｏｎｆｉｇを使用することによりＵＥ２０に通知される。これにより、同じく図１３に例示される要求ＣＱＩのＲＳペアリストが、ＲＳペア決定部１０３（図４参照）で決定され、時刻ｔ２に、ＲＲＣ信号ＣＱＩ−Ｒｅｐｏｒｔ−ＣｏｎｆｉｇまたはＣＳＩ−ＲＳ−Ｃｏｎｆｉｇの情報要素として送信されることが可能である。上記の情報に従い、ＵＥ２０において、再び図１７に列挙された、ＣＳＩ−ＲＳリソースごとの要求ＣＱＩが、ＣＱＩ計算部２０４（図４参照）で計算される。
【００５５】
なお、図１３に例示したように、制御信号オーバーヘッド低減のため、時刻ｔ０における要求ＣＱＩに対するＲＳペアリストのＲＲＣ信号は、時刻ｔ１および時刻ｔ２で再び繰り返し送信する必要はないことに留意すべきである。時刻ｔ１において、ＣＳＩ−ＲＳ１／３およびＺＰ−ＣＳＩ−ＲＳｂのＲＳペアは、時刻ｔ０における要求ＣＱＩに対するＲＳペアのＲＲＣ信号にすでに含まれている。時刻ｔ２において、（ＣＳＩ−ＲＳ１，２，３）および（ＺＰ−ＣＳＩ−ＲＳａ，ｂ，ｃ，ｄ）に関連する要求ＣＱＩのＲＳペアは、時刻ｔ０のものと同じである。したがって、時刻ｔ１およびｔ２においてＲＳペアリストを更新する必要はない。これにより、時刻ｔ１においては、ＣＳＩ−ＲＳ１／３およびＺＰ−ＣＳＩ−ＲＳｂのＲＳペアに対応する、設定されたＣＳＩ−ＲＳ（ＣＳＩ−ＲＳ１，３）およびＺＰ−ＣＳＩ−ＲＳｂに関連する要求ＣＱＩが計算されフィードバックされる一方、時刻ｔ２の場合には、（ＣＳＩ−ＲＳ１，２，３）および（ＺＰ−ＣＳＩ−ＲＳａ，ｂ，ｃ，ｄ）に関連する要求ＣＱＩ（時刻ｔ０におけるものと同じ）が、計算されフィードバックされることになる。
【００５６】
３．３）第６実施例
図１４に示すように、第３の例示的実施形態による通信方法の第６実施例は、ＣｏＭＰ測定セットを更新する場合に、利用可能なＣＳＩ−ＲＳ設定をできるだけ再利用するために、非要求ＣＱＩに対するＲＳペアのシグナリングを使用する。図１３のように要求ＣＱＩを計算するためのＲＳペアを送信する代わりに、非要求ＣＱＩに対するＲＳペアのリストが、ＲＳペア決定部１０３（図４参照）によって決定され、誤ったＣＱＩの計算を回避するためにターゲットＵＥ２０へ送信される。このようなＲＳペアリストの情報が、ＲＲＣ信号ＣＱＩ−Ｒｅｐｏｒｔ−ＣｏｎｆｉｇまたはＣＳＩ−ＲＳ−Ｃｏｎｆｉｇの情報要素に格納され、ＵＥ２０へ半静的に送信される。ＵＥ２０において、図１７に示したようなＣＳＩ−ＲＳリソースごとのＣＱＩが、ＲＳペアのすべての組合せを使用することによりＣＱＩ計算部２０４（図４参照）で計算されるが、通知されたＲＳペアに対応するＣＱＩは計算も報告もされない。
【００５７】
図１４に例示したように、制御信号オーバーヘッド低減のため、時刻ｔ０における非要求ＣＱＩに対するＲＳペアリストのＲＲＣ信号は、時刻ｔ１およびｔ２で再び繰り返し送信する必要はない。時刻ｔ１において、時刻ｔ１に使用されるＣＳＩ−ＲＳ１／３およびＺＰ−ＣＳＩ−ＲＳｂのＲＳペアに関連するＣＱＩが計算される。これは、時刻ｔ０における非要求ＣＱＩに対するＲＳペアリストのＲＲＣ信号では除外されている。時刻ｔ２において、時刻ｔ０における非要求ＣＱＩに対する通知されたＲＳペアのＣＱＩを除き、（ＣＳＩ−ＲＳ１，２，３）および（ＺＰ−ＣＳＩ−ＲＳａ，ｂ，ｃ，ｄ）のすべての組合せに対応するＣＱＩが計算される。
【００５８】
３．４）第７実施例
図１５に示すように、第３の例示的実施形態による通信方法の第７実施例は、ＣｏＭＰ測定セットを更新する場合に、利用可能なＣＳＩ−ＲＳ設定をできるだけ再利用するために、ミュートセルＩＤの干渉ミューティングパターンリストのシグナリングを使用する。本実施例では、時刻ｔ０、ｔ１およびｔ２において同様のＣＳＩ−ＲＳ設定が使用される。この場合、ミュートセルインデックスを有する干渉ミューティングパターンのリストが、誤ったＣＱＩの計算を回避するためにターゲットＵＥ２０ａへ送信される。このような干渉ミューティングパターンリストの情報が、ＲＲＣ信号ＣＱＩ−Ｒｅｐｏｒｔ−ＣｏｎｆｉｇまたはＣＳＩ−ＲＳ−Ｃｏｎｆｉｇの情報要素に格納され、ＵＥ２０ａへ半静的に送信される。ＵＥ２０ａにおいて、図１７のようなＣＳＩ−ＲＳリソースごとのＣＱＩが、要求ＣＱＩ決定部２０６によって決定され、ＣＱＩ計算部２０４（図９参照）によって計算される。
【００５９】
制御信号オーバーヘッド低減のため、時刻ｔ０におけるミュートセルインデックスの干渉ミューティングパターンリストのＲＲＣ信号は、時刻ｔ１およびｔ２で再び繰り返し送信する必要はなく、図１５に示した、更新されたミューティングパターンリストのみを時刻ｔ２にＵＥ２０ａへ送信すればよい。時刻ｔ１において、時刻ｔ０に通知されたミューティングパターンＭｂのＲＲＣ信号を参照して、時刻ｔ１に使用される（ＣＳＩ−ＲＳ１，３）およびＺＰ−ＣＳＩ−ＲＳｂに関連する要求ＣＱＩが、計算されるように決定される。時刻ｔ２において、時刻ｔ０におけるミューティングパターンおよび時刻ｔ２における更新されたミューティングパターンのＲＲＣ信号に従って、時刻ｔ２に使用される（ＣＳＩ−ＲＳ１，２，３）および（ＺＰ−ＣＳＩ−ＲＳａ，ｂ，ｃ，ｄ）に関連する要求ＣＱＩが図１７のように推定される。
【００６０】
３．５）第８実施例
図１６に示すように、第３の例示的実施形態による通信方法の第８実施例は、ＣｏＭＰ測定セットを更新する場合に、利用可能なＣＳＩ−ＲＳ設定をできるだけ再利用するために、非ミュートセルＩＤを有する干渉ミューティングパターンリストのシグナリングを使用する。時刻ｔ０、ｔ１およびｔ２において同様のＣＳＩ−ＲＳ設定を使用することにより、非ミュートセルＩＤのミューティングパターンリストが、要求ＣＱＩを決定し推定するためにターゲットＵＥ２０ａへ送信される。このような干渉ミューティングパターンリストの情報が、ＲＲＣ信号ＣＱＩ−Ｒｅｐｏｒｔ−ＣｏｎｆｉｇまたはＣＳＩ−ＲＳ−Ｃｏｎｆｉｇの情報要素に格納され、ＵＥ２０ａへ半静的に送信される。ＵＥ２０ａにおいて、図１７に示したようなＣＳＩ−ＲＳリソースごとのＣＱＩが、要求ＣＱＩ決定部２０６によって決定され、ＣＱＩ計算部２０４（図９参照）によって計算される。
【００６１】
制御信号オーバーヘッド低減のため、時刻ｔ０における非ミュートセルＩＤの干渉ミューティングパターンリストのＲＲＣ信号は、ｔ１およびｔ２で再び繰り返し送信する必要はなく、図１６に示した、更新されたミューティングパターンリストのみを時刻ｔ２にＵＥ２０ａに通知すればよい。時刻ｔ１において、時刻ｔ０に通知されたミューティングパターンＭｂのＲＲＣ信号を参照して、時刻ｔ１に使用される（ＣＳＩ−ＲＳ１，３）およびＺＰ−ＣＳＩ−ＲＳｂに関連する要求ＣＱＩが、計算されるように決定される。時刻ｔ２において、時刻ｔ０におけるミューティングパターンおよび時刻ｔ２における更新されたミューティングパターンのＲＲＣ信号に従って、時刻ｔ２に使用される（ＣＳＩ−ＲＳ１，２，３）および（ＺＰ−ＣＳＩ−ＲＳａ，ｂ，ｃ，ｄ）に関連する要求ＣＱＩが図１７のように決定される。
【００６２】
３．６）有益な効果
図１３〜図１６に示したような上記の実施例において、さらに制御信号オーバーヘッドを低減するために、ＣＳＩ−ＲＳ設定の繰り返されるＲＲＣ信号も低減されてもよい。時刻ｔ１において、（ＣＳＩ−ＲＳ１，３）の非ゼロパワーＣＳＩおよび（ＺＰ−ＣＳＩ−ＲＳｂ）のゼロパワーＣＳＩの設定は、時刻ｔ０にすでに通知されている。したがって、時刻ｔ１には、セル２に関連するＣＳＩ−ＲＳ設定を削除すること、すなわち、ＣＳＩ−ＲＳ２、ＺＰ−ＣＳＩ−ＲＳａ，ｃ，ｄを削除することをＵＥに通知すれば十分である。時刻ｔ２において、セル４がＣｏＭＰ測定セットに新たに導入される。時刻ｔ１およびｔ２におけるＣｏＭＰ測定セットに対するＣＳＩ−ＲＳ設定を比較すると、セル１およびセル３に対するＲＳ設定に関する情報は繰り返されず、セル４に関連するＣＳＩ−ＲＳ２の設定された非ゼロパワーＣＳＩ−ＲＳおよび（ＺＰ−ＣＳＩ−ＲＳａ，ｃ，ｄ）のゼロパワーＣＳＩのみをＵＥに通知すればよい。実装の観点からは、前のＲＳ設定に対するメモリがＵＥ２０／２０ａに必要とされる。
【００６３】
図６〜図１６に示したような上記の実施例において、信号パワー測定のために、非ゼロパワーＣＳＩ−ＲＳの代わりにＣＲＳを使用してもよい。一方、ＣｏＭＰに対するミューティングのある干渉を測定するために、ゼロパワーＣＳＩ−ＲＳの代わりに、ＰＤＳＣＨミューティングＲＥまたは他の特定の干渉測定ＲＥを使用してもよい。
【００６４】
４．第４の例示的実施形態
第４の例示的実施形態によれば、図４に示したようなＣＣＵ１００の機能が、ＣｏＭＰ測定セットの各基地局（ｅＮＢ）の一部として含められる。このようなｅＮＢ間ＣｏＭＰの場合、ＵＥは複数のｅＮＢに接続され、ｅＮＢ間で情報はＸ２バックホールを通じて交換される。以下、２つのｅＮＢの場合を例として説明する。
【００６５】
図１８に示すように、ＣｏＭＰ測定セットの基地局ｅＮＢ１およびｅＮＢ２は同じブロック構成を有し、Ｘ２バックホールインタフェースを通じて相互に通信することができる。ｅＮＢ１にはＣＣＵ１の機能を有する制御部が設けられ、これはバックホールリンクＢＬ１を通じて無線局１１０をサービングセル（セル１）として制御する。同様に、ｅＮＢ２にはＣＣＵ２の機能を有する制御部が設けられ、これはバックホールリンクＢＬ２を通じて無線局１２０を制御する。
【００６６】
各ｅＮＢは、基地局の動作と、干渉測定リソースを暗黙的または明示的に示す情報をＵＥ２０に通知する動作とを制御することにより、ＵＥ２０が、図３に示したようなＣＳＩ−ＲＳおよびＺＰ−ＣＳＩ−ＲＳの有効なペアを選択できるようにする。その詳細な動作は上記の実施形態および実施例のものと同様なので、詳細な説明は省略する。
【００６７】
５．付記
例示的実施形態は、さまざまな基準信号を用いて信号および干渉パワーを測定することによりＣＱＩの計算およびフィードバックを行う移動通信システムに適用可能である。本発明は、その技術思想および本質的特性から逸脱することなく他の具体的形態で実施可能である。したがって、上記の例示的実施形態および実施例はあらゆる点において例示であって限定的でないとみなされるべきであり、本発明の技術的範囲は上記の説明によってではなく添付の特許請求の範囲によって示される。したがって、特許請求の範囲の意味および均等の範囲内に入るすべての変更は、特許請求の範囲に包含されると解釈される。上記の例示的実施形態の一部または全部は、付記で述べたように記述されることも可能であるが、それに限定されない。
【符号の説明】
【００６８】
１０  ネットワーク
２０，２０ａ  ユーザ機器（ＵＥ）
１００，１００ａ  中央制御ユニット（ＣＣＵ）
１０１  ＣｏＭＰ測定セット決定部
１０２  ＣＳＩ−ＲＳ・ミューティングパターン設定部
１０３  ＲＳペア決定部
１０４  ジョイントスケジューラ
１０５  バックホールリンク通信部
１０６  コントローラ
１１０  無線局（セル）
１１１  ＢＬ通信部
１１２  コントローラ
１１３  無線送信器
１１４  無線受信器
２０１  無線送信器
２０２  無線受信器
２０３  信号・干渉測定部
２０４  ＣＱＩ計算部
２０５  コントローラ
２０６  要求ＣＱＩ決定部
【図１】
0005939412.tif 000002
【図２Ａ】
0005939412.tif 000003
【図２Ｂ】
0005939412.tif 000004
【図２Ｃ】
0005939412.tif 000005
【図３】
0005939412.tif 000006
【図４】
0005939412.tif 000007
【図５】
0005939412.tif 000008
【図６Ａ】
0005939412.tif 000009
【図６Ｂ】
0005939412.tif 000010
【図６Ｃ】
0005939412.tif 000011
【図７】
0005939412.tif 000012
【図８Ａ】
0005939412.tif 000013
【図８Ｂ】
0005939412.tif 000014
【図９】
0005939412.tif 000015
【図１０】
0005939412.tif 000016
【図１１Ａ】
0005939412.tif 000017
【図１１Ｂ】
0005939412.tif 000018
【図１２】
0005939412.tif 000019
【図１３】
0005939412.tif 000020
【図１４】
0005939412.tif 000021
【図１５】
0005939412.tif 000022
【図１６】
0005939412.tif 000023
【図１７】
0005939412.tif 000024
【図１８】
0005939412.tif 000025